【手続補正書】
【提出日】平成20年8月14日(2008.8.14)
【手続補正１】
【補正対象書類名】特許請求の範囲
【補正対象項目名】全文
【補正方法】変更
【補正の内容】
【特許請求の範囲】
【請求項１】
加熱された鍋やプレート等の物品をつかむための防熱把持用具であって、
片手に装着した単独使用がそれぞれ可能な相似形構造の主把持具と副把持具との組合わせからなり、
前記主把持具は、指挿入用の開口部が相互に対向する向きで左右対称に形成された左右のポケット部を防熱性シートの表面側に備え、
前記副把持具は、前記主把持具より一回り小さい相似形に構成されており、その左右のポケット部が前記主把持具の左右のポケット部内に挿入可能に構成されていることを特徴とする防熱把持用具。
【請求項２】
前記主把持具及び副把持具は、前記一対のポケット部の開口部間に臨んで前記防熱性シートの表面側に逢着された帯状の防熱性の補助シートをそれぞれ備え、各補助シートの両側辺部を折込線として主把持具及び副把持具がそれぞれ折込み可能に構成されていることを特徴とする請求項１に記載の防熱把持用具。
【請求項３】
前記主把持具及び副把持具の少なくとも一方は、前記防熱性シートに逢着された引掛部材を具備していることを特徴とする請求項１又は２に記載の防熱把持用具。
【請求項４】
前記主把持具及び副把持具の少なくとも一方は、前記防熱性シート内に挟み込まれたマグネットシートを具備していることを特徴とする請求項１〜３の何れか１項に記載の防熱把持用具。
【請求項５】
前記主把持具及び副把持具の少なくとも一方は、防熱性シートの裏面に防滑手段を具備していることを特徴とする請求項１〜４の何れか１項に記載の防熱把持用具。
【手続補正２】
【補正対象書類名】明細書
【補正対象項目名】全文
【補正方法】変更
【補正の内容】
【発明の詳細な説明】
【発明の名称】防熱把持用具
【技術分野】
【０００１】
本発明は、加熱された鍋やプレート等の物品をつかむための防熱把持用具に関するものである。
【背景技術】
【０００２】
加熱された鍋やプレート等の調理器具をつかむための台所用具として、防熱性のある厚手の手袋形の「オーブンミトン」が従来一般に知られている。しかしながら、この種の手袋形の「オーブンミトン」は、片手に装着するにも両手を使う必要があり、片手で素早く装着するには難がある。
【０００３】
そこで、片手で素早く装着できるように改良された「鍋つかみ」が提案されている。例えば特許文献１においては、柔軟性部材で形成した本体の片面側に開口部が対向する一対のミトンを設け、本体を二つ折れ状態としてその外面側に開口する一対のミトン内に指を挿入することにより片手で装着できるようにした「鍋つかみ」が提案されている。
【０００４】
また、特許文献２においては、楕円形の基台の上面に半円状の二つの指覆い部をのせ、その縁部を縫い合わせることで、対向する開口部から両側の指挿入部に指を挿入して素早く装着できるようにした「鍋つかみ」が提案されている。
【特許文献１】特開平１０−２５７９８６
【特許文献２】特開平１０−３２８０５０
【発明の開示】
【発明が解決しようとする課題】
【０００５】
ところで、特許文献１、２に提案されている「鍋つかみ」は、いずれも片手に装着して単独使用されるものであり、両手鍋などを両手で持つ場合には、両手用に２つの「鍋つかみ」を用意しておく必要がある。
【０００６】
この場合、２つの「鍋つかみ」は同サイズの同一構造であるため、台所の適所に吊持するにしても、２つをコンパクトにまとめて一緒に吊持することはできない。また、１つの「鍋つかみ」では防熱性が不十分と思われる場合であっても、２つの「鍋つかみ」を相互に重ねた状態で片手に装着して使用することはできない。
【０００７】
もっとも、「鍋つかみ」の素材として耐熱性の高い材料を使用すれば、あえて２つの「鍋つかみ」を相互に重ねて使用する必要もないが、その場合には、材料費が非常に高価になってしまう。
【０００８】
本発明は、このような従来技術の問題点に対応してなされたものであり、片手又は両手に装着することで加熱された鍋やプレート等の物品をつかむことができ、両手用の２つを相互に重ねた状態で片手に装着して使用することもでき、使用しないときには両手用の２つをコンパクトにまとめて一緒に吊持したり吸着させたりすることができる防熱把持用具を提供することを課題とする。
【課題を解決するための手段】
【０００９】
このような課題を解決する手段として、本発明に係る防熱把持用具は、片手に装着した単独使用がそれぞれ可能な相似形構造の主把持具と副把持具との組合わせからなり、主把持具は、指挿入用の開口部が相互に対向する向きで左右対称に形成された左右のポケット部を防熱性シートの表面側に備え、副把持具は、主把持具より一回り小さい相似形に構成されており、その左右のポケット部が主把持具の左右のポケット部内に挿入可能に構成されていることを特徴とする。
【００１０】
本発明に係る防熱把持用具を構成する主把持具又は副把持具は、左右のポケット部に開口部から片手の指を挿入することで、片手に装着される。そこで、加熱された鍋やプレート等の物品を片手でつかむには、主把持具又は副把持具の一方を片手に装着し、両手でつかむには、主把持具及び副把持具の両方を両手に装着する。
【００１１】
ここで、加熱された鍋やプレート等の物品をつかむ際に主把持具又は副把持具の一方だけでは防熱性が不十分と思われる場合には、主把持具の左右のポケット部内に副把持具の左右のポケット部をそれぞれ挿入して両者を一体化し、副把持具の左右のポケット部に開口部から片手の指を挿入することで、両者を重ねた状態で片手に装着する。
【００１２】
本発明に係る防熱把持用具において、主把持具及び副把持具は、一対のポケット部の開口部間に臨んで防熱性シートの表面側に逢着された帯状の防熱性の補助シートをそれぞれ備え、各補助シートの両側辺部を折込線として主把持具及び副把持具がそれぞれ折込み可能に構成されているのが好ましい。
【００１３】
また、本発明に係る防熱把持用具を冷蔵庫や壁などに着脱可能に吊持したり吸着させたりするための手段として、主把持具及び副把持具の少なくとも一方は、防熱性シートに逢着された引掛部材を具備し、あるいは、防熱性シート内に挟み込まれたマグネットシートを具備しているのが好ましい。
【００１４】
さらに、本発明に係る防熱把持用具において、主把持具及び副把持具の少なくとも一方は、防熱性シートの裏面に防滑手段を具備しているのが好ましい。
【発明の効果】
【００１５】
本発明に係る防熱把持用具によれば、加熱された鍋やプレート等の物品をつかむ際、主把持具又は副把持具の一方を片手に装着し、あるいは、主把持具及び副把持具の両方を両手に装着することで、加熱された鍋やプレート等の物品を必要に応じて片手又は両手でつかむことができる。
【００１６】
ここで、本発明に係る防熱把持用具は、主把持具の左右のポケット部内に副把持具の左右のポケット部をそれぞれ挿入することで、主把持具に副把持具を一体化することができる。
【００１７】
そして、このような一体化状態とすれば、副把持具の左右のポケット部に開口部から片手の指を挿入することで、副把持具とこれに重なる主把持具とを片手に装着することができるため、容易に防熱性を増大させることができる。
【００１８】
ここで、本発明に係る防熱把持用具において、主把持具及び副把持具が一対のポケット部の開口部間に臨んで防熱性シートの表面側に逢着された帯状の防熱性の補助シートをそれぞれ備えている場合、もっとも温度の影響の受けやすい箇所の防熱性を向上させることができ、必要箇所以外の防熱素材が不要となり、低コストかつ軽量に製造、使用が可能となる。
【００１９】
そして、各補助シートの両側辺部を折込線として主把持具及び副把持具がそれぞれ折込み可能に構成されている場合には、主把持具及び副把持具を装着して加熱された鍋やプレート等の物品つかむ際に、主把持具及び副把持具が補助シートの両側辺部を折込線として折込まれるため、加熱された物品を的確につかむことが可能となる。
【００２０】
また、本発明に係る防熱把持用具において、主把持具及び副把持具の少なくとも一方が防熱性シートに逢着された引掛部材を具備し、あるいは、防熱性シート内に挟み込まれたマグネットシートを具備している場合、前述したように主把持具に副把持具を一体化することで、両者を一緒にして冷蔵庫や壁などに着脱可能に吊持したり吸着させたりすることができ、保管、収納場所の省スペース化を実現することができる。
【００２１】
さらに、本発明に係る防熱把持用具において、主把持具及び副把持具の少なくとも一方が防熱性シートの裏面に防滑手段を具備している場合、瓶の蓋の開封作業に利用することも可能となる。
【発明を実施するための最良の形態】
【００２２】
以下、本発明の一実施形態に係る防熱把持用具について図１〜図１０を参照して説明する。参照する図面において、図１は一実施形態に係る防熱把持用具の構成を示す斜視図、図２は図１に示した主把持具に副把持具を一体化した状態を示す斜視図、図３は図１に示した主把持具の構造を示す分解斜視図、図４は図３に示した補助シートが逢着された防熱性シートを表面側から見た斜視図、図５は図４に示した防熱性シートを裏面側から見た斜視図、図６は図１に示した主把持具及び副把持具の縦断面図、図７は図６に示した主把持具に副把持具を一体化した状態を示す縦断面図である。
【００２３】
一実施形態に係る防熱把持用具は、加熱された鍋やプレート等の物品をつかむために使用されるものであり、図１及び図２に示すようにサイズの異なる相似形構造の主把持具１と副把持具２との組あわせにより構成されている。
【００２４】
主把持具１は、図３に示すように、防熱性シート３ａと、二つのポケット部を形成するためのポケット用シート４ａ，４ａと、引掛部材６ａと、防熱性の補助シート７ａと、各種縁部材５ａ，８ａ，９ａとを備えており、これらが縫合されることにより主把持具１が形成されている。
【００２５】
防熱性シート３ａは、同じ大きさの円形の表シート１１と裏シート１２が重ねられて構成される。この表シート１１と裏シート１２は、どちらか一方あるいは双方が防熱性を有するものである。この防熱性シート３ａは、まったく熱を通さないものに限られず、鍋の取っ手や加熱されたプレートを把持可能な範囲で熱を伝えないものであればよい。
【００２６】
さらにいえば、防熱性シート３ａは、特定の高温物については一方の主把持具１のみの単体で把持できなくても、他方の副把持具２を重ねることで把持可能な程度の防熱性があればよく、表シート１１及び裏シート１２の素材は、キルティング生地、タオル生地とすることができる。
【００２７】
図４に示すように、防熱性シート３ａの表シート１１の表面中央部には、帯状の防熱性の補助シート７ａが配置されており、この補助シート７ａの左右の側辺には、補助シート７ａと表シート１１の双方にかかる位置に補助シート縁部材８ａが設けられている。なお、この補助シート縁部材８ａは、その裏面に設けられた接着層により固定されているのが望ましい。
【００２８】
そして、補助シート縁部材８ａ、補助シート７ａおよび防熱性シート３ａが図５に示すように縫合部１３ａで相互に縫合され、こうして防熱性シート３ａの折込部（図８参照）が構成されている。
【００２９】
防熱性シート３ａの表面側には、図１に示したように、補助シート７ａを間にしてその左右両側に半円状のポケット用シート４ａ，４ａがその円弧状の縁部をそれぞれ防熱性シート３ａの外周縁部に合わせた状態で配置されている。また、ループ状の引掛部材６ａの両端が補助シート７ａの端部に合わせた状態で配置されている。
【００３０】
そして、ポケット用シート４ａ，４ａの円弧状縁部および引掛部材６ａの両端部がリング状の外周縁部材５ａにより防熱性シート３ａの外周縁部に一体に縫合されている。また、ポケット用シート４ａ，４ａの直線部分には、ポケット部の開口部を縁取る開口部縁部材９ａ，９ａが縫合されている。
【００３１】
こうして防熱性シート３ａの表面側には、半円状の一対のポケット部が補助シート７ａの左右両側に左右対称に形成されており、その指挿入用の開口部が相互に対向している（図６参照）。ちなみに、この一対のポケット部の大きさは、一方の開口部から親指を、他方の開口部から他の４指を挿入でき、その状態で鍋やプレートなどを持ち運びできる大きさとなっている。
【００３２】
一方、副把持具２は、図１および図６に示すように、主把持具１より一回り小さいサイズの相似形構造に構成されており、主把持具１の防熱性シート３ａ、ポケット用シート４ａ、引掛部材６ａ、補助シート７ａ、外周縁部材５ａ、補助シート縁部材８ａ、開口部縁部材９ａ及び縫合部１３ａにそれぞれ対応する防熱性シート３ｂ、ポケット用シート４ｂ、引掛部材６ｂ、補助シート７ｂ、外周縁部材５ｂ、補助シート縁部材８ｂ、開口部縁部材９ｂ及び縫合部１３ｂを備えている。
【００３３】
この副把持具２は、図２および図７に示すように、左右のポケット部を主把持具１の左右のポケット部内に挿入することで、主把持具１に一体化できるように構成されている。そして、この一体化状態では、主把持具１の防熱性シート３ａおよび副把持具２の防熱性シート３ｂが図８に示す折込補助線に沿う方向に一体に折込み可能となっている。
【００３４】
以上のように構成された一実施形態の防熱把持用具について、以下にその使用例を説明する。この防熱把持用具は、加熱された鍋やプレート等の物品を片手あるいは両手でつかむ際に使用される。
【００３５】
片手でつかむ際には、主把持具１あるいは副把持具２を単体として使用する。例えば主把持具１を使用する場合には、その左右のポケット部に開口部から片手の指を挿入して主把持具１を片手に装着した状態で加熱された鍋の取っ手やプレートを片手で持つ。
【００３６】
両手でつかむ際には、例えば図９に示すように、左手に主把持具１を装着し、右手に副把持具２を装着した状態で熱い鍋などを両手でつかんで持ち運ぶ。その際、主把持具１は、防熱性シート３ａの中央部が最も熱の影響を受けるが、防熱性シート３ａの中央部に防熱性の補助シート７ａが設けられることで、主把持具１は、その熱の影響をできるだけ受けないようになっている。副把持具２についても同様である。
【００３７】
また、主把持具１の防熱性シート３ａには、縫合部１３ａによる折込部があるため、防熱性シート３ａは、補助シート７ａの左右の厚さの影響を受けずに簡単に折り曲げられる。副把持具２についても同様である。
【００３８】
ここで、極端に熱いプレートなどを持つ際は、図２及び図７に示すように、主把持具１の左右のポケット部内に副把持具２の左右のポケット部をそれぞれ挿入して主把持具１に副把持具２を一体化する。そして、副把持具２の左右のポケット部に開口部から片手の指を挿入することで、主把持具１に副把持具２を重ねた状態で両者を片手に装着する。
【００３９】
この装着状態において、副把持具２の縫合部１３ｂの間隔は、主把持具１の縫合部１３ａの間隔より狭くなっているため（図７参照）、主把持具１の防熱性シート３ａおよび副把持具２の防熱性シート３ｂは、図８に示す折込補助線に沿う方向に簡単に折り曲げられる。
【００４０】
主把持具１及び副把持具２を使用しないときは、図１０に示すように、主把持具１に副把持具２を一体化した状態で、主把持具１の引掛部６ａを冷蔵庫１４の前面などに設けられたフック１５のフック部にかけ吊るして保管する。なお、このように主把持具１を吊るした状態では、副把持具２のみを使用することも可能である。
【００４１】
ここで、一実施形態の防熱把持用具においては、主把持具１の防熱性シート３ａ又は副把持具２の防熱性シート３ｂの裏面、すなわち、鍋などの対象物に接触する面である裏面にゴムや樹脂などの防滑性の高い防滑材１６を設けることも可能である。図１１ａはその裏面の全体に防滑材１６を点状に分散配置した例を示し、図１１ｂは防滑材１６を格子状に設けた例を示す。
【００４２】
これらの例では、鍋などをつかむときの作業の安定性が向上するとともに、瓶の蓋開けなどにも利用できる。また、副把持具２に防滑材１６を設けた場合においては、副把持具２を主把持具１に収納した状態で脱落しにくくなるとともに、上部がズレ落ちないので型崩れの防止にも役立つ。
【００４３】
また、一実施形態の防熱把持用具においては、図１２に示すように、主把持具１及び／又は副把持具２における防熱性シート３の表シート１１と裏シート１２との間に、図１３に示すような半円状のマグネットシート１７，１７を挟み込み、周囲を縫合により固定してもよい。この場合、加熱された鍋やプレート等の物品の材料が磁着素材であれば、これにマグネットシート１７，１７が吸着するため、例えば主把持具１を使用してその対象物を持ち運ぶ際の安定性が向上する。また、図１４に示すように主把持具１をマグネットシート１７，１７で冷蔵庫１４の扉などに着脱することも可能となる。
【００４４】
さらに、一実施形態の防熱把持用具において、主把持具１及び副把持具２の外周形状は、例えば図１５に示すような略ハート形状としてもよい。図１５に示した変形例において、一対のポケット部の指挿入側の開口部は、相互に平行ではなく、下方に向かうにつれ間隔が広がるようになっている。
【００４５】
ここで、図１６に示すように副把持具２を主把持具１に収納した場合に、副把持具２が脱落するのを防止するため、主把持具１の下部には、副把持具１の下部を収納できるようなポケット状の抜けストッパー１９が設けられている。これにより、図１６に示すように副把持具２を主把持具１に確実に収納することができる。
【００４６】
以上、本発明に係る防熱把持用具の一実施形態およびその変形例を説明したが、本発明の防熱把持用具はこれに限定されるものではなく、各機構を利用可能な範囲で組み替え可能である。また、主把持具１及び副把持具２の形状は、四角形や６角形、任意のキャラクター形状などに変更してもよい。
【図面の簡単な説明】
【００４７】
【図１】本発明の一実施形態に係る防熱把持用具の構成を示す斜視図である。
【図２】図１に示した主把持具に副把持具を一体化した状態を示す斜視図である。
【図３】図１に示した主把持具の構造を示す分解斜視図である。
【図４】図３に示した補助シートが逢着された防熱性シートを表面側から見た斜視図である。
【図５】図４に示した防熱性シートを裏面側から見た斜視図である。
【図６】図１に示した主把持具及び副把持具の縦断面図である。
【図７】図６に示した主把持具に副把持具を一体化した状態を示す縦断面図である。
【図８】図７に示した一体化状態の主把持具及び副把持具の折込み状態を示す縦断面図である。
【図９】図１に示した主把持具及び副把持具の使用状態を示す斜視図である。
【図１０】図７に示した一体化状態の主把持具及び副把持具の吊持状態を示す側面図である。
【図１１】図５に示した防熱性シートの裏面に防滑材が設けられた変形例を示す図５に対応した斜視図である。
【図１２】図６に示した主把持具及び／又は副把持具の防熱性シートにマグネットシートが挟み込まれた変形例を示す縦断面図である。
【図１３】図１２に示したマグネットシートの斜視図である。
【図１４】図１２に示した主把持具の吸着状態を示す側面図である。
【図１５】図１に示した主把持具及び副把持具の平面形状の変形例を示す平面図である。
【図１６】図１５に示した主把持具に副把持具を一体化した状態を示す平面図である。
【符号の説明】
【００４８】
１…主把持具
２…副把持具
３ａ，３ｂ…防熱性シート
４ａ，４ｂ…ポケット用シート
５ａ，５ｂ…外周縁部材
６ａ，６ｂ…引掛部材
７ａ，７ｂ…補助シート
８ａ，８ｂ…補助シート縁部材
９ａ，９ｂ…開口部縁部材
１１…表シート
１２…裏シート
１３ａ，１３ｂ…縫合部
１４…冷蔵庫
１５…フック
１６…防滑材
１７…マグネットシート
１９…抜けストッパー